(57)【特許請求の範囲】
【請求項１】
エンジンの吸気通路に設けられたコンプレッサを有するターボ過給機と、燃料タンクの蒸発燃料を回収するキャニスタと、前記コンプレッサ下流側の吸気通路、及び、前記コンプレッサ上流側の吸気通路を接続するように設けられ、前記コンプレッサ下流側の吸気通路から該コンプレッサ上流側の吸気通路へと還流させた吸気によって負圧を発生させるエジェクタと、前記キャニスタにより回収された蒸発燃料を前記エジェクタによって前記コンプレッサ上流側の吸気通路へと導入するためのパージシステムと、を備えたエンジンの制御装置であって、
外気圧が所定の基準圧力よりも小さいとき、又は、吸気温度が所定の基準温度よりも大きいときに、パージガスの流量の増加が必要であると判定する増量要求部と、
前記増量要求部による判定時には、非判定時と比べて前記パージガスの流量を増加させるパージ増量制御を実行する増量実行部と、
前記エンジンの出力トルクを調整する出力調整部と、を備え、
前記増量実行部は、前記パージ増量制御において、前記ターボ過給機の過給圧を前記パージ増量制御が実行される前よりも上昇させることによって、前記エジェクタによる前記パージガスの流量を増加させ、
前記出力調整部は、前記パージ増量制御において、前記増量実行部による過給圧の増加分に応じて、前記吸気通路に設けられたスロットルバルブのバルブ開度を閉弁側に変更することを特徴とするエンジンの制御装置。
【請求項２】
請求項１に記載のエンジンの制御装置において、
前記増量要求部は、前記燃料タンク内の温度、又は、該燃料タンク内の温度に関連する温度が所定の基準温度よりも大きいときに、前記パージガスの流量の増加が必要であると判定することを特徴とするエンジンの制御装置。
【請求項３】
請求項１又は２に記載のエンジンの制御装置において、
前記ターボ過給機のタービンを迂回させるバイパス通路と、
前記バイパス通路を流れる排気の流量を制御するウェイストゲートバルブと、
前記エンジンの運転状態に基づいて取得される前記エンジンの目標出力トルクを実現するために必要となる、前記ターボ過給機の目標過給圧を設定する目標過給圧設定部と、
前記目標過給圧を実現するために必要となる目標ウェイストゲートバルブ開度を設定すると共に、前記目標ウェイストゲートバルブ開度を実現するように、前記ウェイストゲートバルブのバルブ開度を制御するウェイストゲートバルブ制御部とを備え、
前記増量実行部は、前記パージ増量制御においては、前記目標過給圧設定部により設定された前記目標過給圧以上の過給圧を目標値として設定することによって、過給圧を上昇させることを特徴とするエンジンの制御装置。
【請求項４】
請求項１から請求項３のいずれか１つに記載のエンジンの制御装置において、
前記キャニスタには、該キャニスタを大気に開放する大気開放管が接続されていることを特徴とするエンジンの制御装置。
【発明の詳細な説明】
【技術分野】
【０００１】
ここに開示する技術は、ターボ過給機を備えたエンジンの制御装置に関する。
【背景技術】
【０００２】
従来より、燃料タンク内で発生した蒸発燃料を回収するキャニスタと、吸気通路とキャニスタとを接続するパージ通路とを備え、燃料タンク内で発生した蒸発燃料をパージガスとして吸気系に供給するエンジンが知られている。この種のエンジンにおいては、パージ通路を途中で分岐させる構成が知られている。
【０００３】
例えば、特許文献１には、吸気通路のうちコンプレッサ上流側に接続される第１分岐通路と、コンプレッサ下流側（例えば、サージタンク等）に接続される第２分岐通路とにパージ通路を分岐させる構成が開示されている。この第１分岐通路の下流端は、エジェクタを介してコンプレッサの上流側部分に接続されている。エジェクタは、コンプレッサの下流側部分から上流側部分に吸気を還流させて、この還流された吸気によってパージガスの供給を促進するように構成されている。吸気が過給されている場合には、第２分岐通路を介してパージガスを吸気通路に供給することができないので、エジェクタ効果により発生させた負圧によって、第１分岐通路を介してパージガスを吸気通路に供給する。一方、吸気が過給されていない場合には、第２分岐通路を介してパージガスを供給する。
【先行技術文献】
【特許文献】
【０００４】
【特許文献１】特開２０１３−１７４１４２号公報
【発明の概要】
【発明が解決しようとする課題】
【０００５】
ところで、パージ通路を通過するパージガスの流量（以下、「パージ流量」と称する場合がある）をエンジンの運転条件に応じて増加させたい、という要求がある。例えば、車両が高地を走行しているときや、燃料タンク内が高温のときには、燃料が揮発しやすくなるので、キャニスタにトラップされた蒸発燃料が飽和状態となってオーバーフローする恐れがあるため、パージ流量を十分に確保することが求められる。
【０００６】
そこで、過給時におけるパージガスの供給はエジェクタ効果により発生させた負圧を利用していることと、その負圧の大きさは過給圧の上昇に伴い大きくなることとに着目して、パージ流量を増加させるべく過給圧を上昇させることが考えられる。しかしながら、パージ流量を増加させようとして過給圧を上昇させると、エンジンの出力トルクが上昇してしまう。
【０００７】
ここに開示された技術は、かかる点に鑑みてなされたものであり、その目的とするところは、過給圧の上昇によりパージ流量を増加させつつ、これに伴う出力トルクの上昇を抑制することにある。
【課題を解決するための手段】
【０００８】
ここに開示された技術は、エンジンの吸気通路に設けられたコンプレッサを有するターボ過給機と、燃料タンクの蒸発燃料を回収するキャニスタと、前記コンプレッサ下流側の吸気通路、及び、前記コンプレッサ上流側の吸気通路を接続するように設けられ、前記コンプレッサ下流側の吸気通路から該コンプレッサ上流側の吸気通路へと還流させた吸気によって負圧を発生させるエジェクタと、前記キャニスタにより回収された蒸発燃料を前記エジェクタによって前記コンプレッサ上流側の吸気通路へと導入するためのパージシステムと、を備えたエンジンの制御装置であって、外気圧が所定の基準圧力よりも小さいとき、又は、吸気温度が所定の基準温度よりも大きいときに、パージガスの流量の増加が必要であると判定する増量要求部と、前記増量要求部による判定時には、非判定時と比べて前記パージガスの流量を増加させるパージ増量制御を実行する増量実行部と、前記エンジンの出力トルクを調整する出力調整部と、を備え、前記増量実行部は、前記パージ増量制御において、前記ターボ過給機の過給圧を前記パージ増量制御が実行される前よりも上昇させることによって、前記エジェクタによる前記パージガスの流量を増加させ、前記出力調整部は、前記パージ増量制御において、前記増量実行部による過給圧の増加分に応じて、前記吸気通路に設けられたスロットルバルブのバルブ開度を閉弁側に変更する。
【０００９】
一般的には、過給圧を上昇させると、コンプレッサの下流側と上流側との間の差圧が増大して、エジェクタを介した吸気の還流が促進される。吸気の還流が促進されると、それに応じて、前記パージ通路を介したパージガスの供給が促進されて、前記パージ流量が増加することになる。その一方で、過給圧の上昇に伴って、気筒内に導入される吸気量（以下、「充填量」と称する場合がある）の増加、ひいては出力トルクの上昇が起こり得る。
【００１０】
この構成によれば、前記制御装置は、過給圧を上昇させることによってパージ流量を増加させると共に、過給圧の上昇に伴う出力トルクの上昇を抑制する。これにより、出力トルクの過度の上昇を抑制しつつ、パージ流量を増加させることができる。
【００１１】
さらに、前記の構成によれば、前記出力調整部は、パージ増量制御において、スロットルバルブのバルブ開度を絞ることによって充填量を減少させる。つまり、過給圧の上昇に伴う出力トルクの上昇を充填量の調整により抑制することができる。
【００１２】
また、吸気バルブの開閉時期の調整によって充填量を調整したり、点火タイミングを通常より遅角させる所謂、点火リタードによって出力トルクを調整したりするのではなく、スロットルバルブを介して充填量を調整することで、次のような利点が得られる。つまり、吸気バルブの開閉時期の調整や点火タイミングの制御は、エンジンの運転に関する種々の制御に用いられるため、スロットルバルブを介して出力トルクを抑制することで、吸気バルブの開閉時期の調整や点火タイミングの制御を別の制御に使用することができる。そのことで、エンジンの制御性を高める上で有利になる。なお、この説明は、吸気バルブの開閉時期の調整や、点火リタードの実行等により出力トルクの上昇を抑制する構成を排除することを意図するものではない。また、スロットルバルブを閉じることにより、吸気バルブの開閉時期の調整により出力トルクの抑制を行う場合と比べて、過給圧が上昇しやすくなるため、パージ流量を速やかに増加させることが可能となる。また、点火リタードによって出力トルクを調整する場合と比べて、燃費が良くなる。
【００１３】
一般的には、外気圧に応じて、燃料の揮発しやすさは変化する。例えば高地のように外気圧が低い環境では、低地よりも燃料は揮発しやすくなる。
【００１４】
前記の構成によれば、前記増量要求部は、パージ流量の増加の要否を外気圧に基づいて判定することによって、パージ流量を増加させるべきときを的確に判断することができる。そのことで、パージ増量制御をより適切なタイミングで行うことができるようになって、ひいては、過給圧の上昇によって出力トルクが上昇し得る機会を減らす上で有利になる。
【００１５】
また、前記増量要求部は、前記燃料タンク内の温度、又は、該燃料タンク内の温度に関連する温度が所定の基準温度よりも大きいときに、前記パージガスの流量の増加が必要であると判定してもよい。
【００１６】
ここで、「燃料タンク内の温度に関連する温度」とは、燃料タンク内の温度を間接的に検知可能な温度を意味しており、例えば、外気温度や、吸気通路におけるコンプレッサ上流側部分を流れる吸気の温度等を含む。
【００１７】
一般的には、燃料タンク内の温度に応じて、燃料の揮発しやすさは変化する。例えば燃料タンク内が高温のときには、低温時よりも燃料は揮発しやすくなる。
【００１８】
この構成によれば、前記増量要求部は、パージ流量の増加の要否を燃料タンク内の温度、又は、燃料タンク内の温度に関連する温度に基づいて判定することによって、パージ流量を増加させるべきときを的確に判断することができる。そのことで、パージ増量制御をより適切なタイミングで行うことができるようになって、ひいては、過給圧の上昇によって出力トルクが上昇し得る機会を減らす上で有利になる。
【００１９】
また、前記ターボ過給機のタービンを迂回させるバイパス通路と、前記バイパス通路を流れる排気の流量を制御するウェイストゲートバルブと、前記エンジンの運転状態に基づいて取得される前記エンジンの目標出力トルクを実現するために必要となる、前記ターボ過給機の目標過給圧を設定する目標過給圧設定部と、前記目標過給圧を実現するために必要となる目標ウェイストゲートバルブ開度を設定すると共に、前記目標ウェイストゲートバルブ開度を実現するように、前記ウェイストゲートバルブのバルブ開度を制御するウェイストゲートバルブ制御部とを備え、前記増量実行部は、前記パージ増量制御においては、前記目標過給圧設定部により設定された前記目標過給圧以上の過給圧を目標値として設定することによって、過給圧を上昇させてもよい。
【００２０】
また、前記キャニスタには、該キャニスタを大気に開放する大気開放管が接続されていてもよい。
【発明の効果】
【００２１】
前記エンジンの制御装置によれば、出力トルクの過度の上昇を抑制しつつ、パージ流量を増加させることができる。
【図面の簡単な説明】
【００２２】
【図１】図１は、エンジンの概略構成図である。
【図２】図２は、ＥＣＵの機能構成図である。
【図３】図３は、トルクベース制御に係る処理のフローチャートである。
【図４】図４は、パージ増量制御に係る処理のフローチャートである。
【発明を実施するための形態】
【００２３】
以下、例示的な実施形態を図面に基づいて詳細に説明する。
【００２４】
〈エンジンの構成〉
図１は、実施形態によるエンジンの制御装置が適用されたエンジンの概略構成図である。
【００２５】
図１に示すように、エンジン１００（例えばガソリンエンジン）は、主に、外部から導入された吸気（空気）が通過する吸気通路１０と、吸気通路１０に接続された複数の気筒（１つのみ図示）２１各々の内部で、吸気通路１０から供給された吸気と後述する燃料噴射弁２３から供給された燃料との混合気を燃焼させて車両の動力を発生するエンジン本体２０と、このエンジン本体２０内の燃焼により発生した排気を排出する排気通路３０と、排気のエネルギを利用して吸気を過給するターボ過給機４０と、燃料タンク５０と、燃料タンク５０内で発生した蒸発燃料を吸気通路１０へ供給するパージシステム６０と、エンジン１００全体を制御するＥＣＵ（Electronic Control Unit）７０とを有する。
【００２６】
吸気通路１０には、上流側から順に、外部から導入された吸気を浄化するエアクリーナ１１と、通過する吸気を昇圧させる、ターボ過給機４０のコンプレッサ４１と、通過する吸気を冷却するインタークーラ１２と、通過する吸気量を調整するスロットルバルブ１３と、エンジン本体２０に供給する吸気を一次的に蓄えるサージタンク１４ａを有する吸気マニホールド１４とが設けられている。
【００２７】
エンジン本体２０は、主に、吸気ポートを開閉する吸気バルブ２２と、気筒２１内に燃料を噴射する燃料噴射弁２３と、気筒２１内に供給された吸気と燃料との混合気に点火する点火プラグ２４と、気筒２１内での混合気の燃焼により往復運動するピストン２７と、ピストン２７の往復運動により回転されるクランクシャフト２８と、排気ポートを開閉する排気バルブ２９とを有する。
【００２８】
排気通路３０には、上流側から順に、通過する排気によって回転させられ、この回転によってコンプレッサ４１を回転駆動する、ターボ過給機のタービン４２と、例えばＮＯｘ触媒や三元触媒や酸化触媒などの、排気の浄化機能を有する排気浄化触媒３１とが設けられている。
【００２９】
また、排気通路３０には、排気にターボ過給機４０のタービン４２を迂回させるバイパス通路３２が設けられている。このバイパス通路３２には、バイパス通路３２を流れる排気の流量を制御するウェイストゲートバルブ（ＷＧバルブ）３３が設けられている。
【００３０】
パージシステム６０は、燃料タンク５０内で発生した蒸発燃料を吸着して貯蔵するキャニスタ６１、キャニスタ６１と吸気通路１０とを接続し、キャニスタ６１から蒸発燃料を含むパージガスを吸気通路１０に導くパージ通路６２と、パージ通路６２に設けられたパージバルブ６６とを有している。
【００３１】
キャニスタ６１には、燃料蒸気を脱離可能に吸着する活性炭が収容されている。キャニスタ６１には、燃料タンク５０内の燃料蒸気を導入する燃料蒸気管６１ａ、キャニスタ６１を大気に開放する大気開放管６１ｂ、及びパージ通路６２が接続されている。大気開放管６１ｂには、図示は省略するが、キャニスタ６１に流入する空気を濾過するエアフィルタ及び大気開放管６１ｂを開閉するバルブが設けられている。バルブは、蒸発燃料がパージされるとき開とされる。
【００３２】
パージ通路６２の上流側の部分は、１本の通路で形成され、キャニスタ６１に接続されている。一方、パージ通路６２の下流側の部分は、２本の通路に分岐して、吸気通路１０の２箇所に接続されている。
【００３３】
詳しくは、パージ通路６２は、上流側の共通通路６３と、下流側の第１分岐通路６４及び第２分岐通路６５とを有する。共通通路６３の上流端は、キャニスタ６１に接続されている。共通通路６３の下流端に、第１分岐通路６４の上流端と第２分岐通路６５の上流端が接続されている。第１分岐通路６４の下流端は、後述するエジェクタ６７を介して、吸気通路１０のうちコンプレッサ４１の上流側の部分に接続されている。第２分岐通路６５の下流端は、吸気通路１０のサージタンク１４ａに接続されている。
【００３４】
共通通路６３には、パージバルブ６６が設けられている。パージバルブ６６は、ＥＣＵ７０からの制御信号により開閉される電子制御式のバルブである。第１分岐通路６４には、吸気通路１０からの吸気の逆流を防止する逆止弁６４ａが設けられている。第２分岐通路６５には、吸気通路１０からの吸気の逆流を防止する逆止弁６５ａが設けられている。
【００３５】
エジェクタ６７は、本体６７ａと、吸気通路１０のうちコンプレッサ４１の下流側の部分と本体６７ａとを接続する導入ノズル６７ｂと、吸気通路１０のうちコンプレッサ４１の上流側の部分と本体６７ａとを接続する排出路６７ｃとを有している。第１分岐通路６４は、本体６７ａに接続されており、エジェクタ６７の一部を構成する。導入ノズル６７ｂの先端は、先細状となっており、導入ノズル６７ｂを介して還流される吸気は、その先端部で減圧され、導入ノズル６７ｂの先端周辺に負圧が発生する。この負圧により、第１分岐通路６４からパージガスが本体６７ａ内に吸引される。吸引されたパージガスは、導入ノズル６７ｂから還流される吸気と共に、排出路６７ｃを介して吸気通路１０のうちコンプレッサ４１の上流側に導入される。
【００３６】
ターボ過給機４０が吸気を過給していないとき（以下、「非過給時」と称する）には、パージガスは、第２分岐通路６５を介して吸気通路１０へ導入される。詳しくは、非過給時は、吸気通路１０のコンプレッサ４１の上流側の圧力の方がコンプレッサ４１の下流側の圧力よりも高いので、エジェクタ６７を介した吸気の還流は生じない。そのため、第１分岐通路６４の下流端の圧力は、吸気通路１０のうちエジェクタ６７が接続された部分の圧力となり、その圧力は、大気圧（外気圧）と略等しい。キャニスタ６１は、大気圧に開放されているので、第１分岐通路６４の上流端と下流端との差圧は、略零であり、パージガスは第１分岐通路６４を流通しない。
【００３７】
一方、第２分岐通路６５の下流端が接続されたサージタンク１４ａは、負圧となっている。そのため、パージ通路６２を流通するパージガスは、第２分岐通路６５を介して、サージタンク１４ａに導入される。
【００３８】
ターボ過給機４０が吸気を過給しているとき（以下、「過給時」と称する）には、パージガスは、第１分岐通路６４を介して吸気通路１０へ導入される。詳しくは、過給時は、サージタンク１４ａは、過給により正圧となっている。前述の如く、キャニスタ６１は、大気圧に開放されているので、第２分岐通路６５の下流端の圧力は、第２分岐通路６５の上流端の圧力よりも高くなっている。そのため、パージガスは、第２分岐通路６５を流通しない。なお、第２分岐通路６５には、逆止弁６５ａが設けられているので、吸気通路１０の吸気が第２分岐通路６５を逆流することもない。
【００３９】
一方、コンプレッサ４１による過給によって、吸気通路１０のコンプレッサ４１の下流側の圧力の方がコンプレッサ４１の上流側の圧力よりも高いので、エジェクタ６７を介した吸気の還流が生じる。これにより、第１分岐通路６４からパージガスが吸引され、吸引されたパージガスが吸気通路１０のコンプレッサ４１の上流側に導入される。こうして、パージ通路６２を流通するパージガスは、第１分岐通路６４を介して、吸気通路１０に導入される。
【００４０】
また、過給開始直後又は過給停止直後等の過渡時には、エジェクタ６７による第１分岐通路６４からのパージガスの吸引が行われると共に、サージタンク１４ａの負圧により第２分岐通路６５からのサージタンク１４ａにパージガスが導入され得る。つまり、第１分岐通路６４及び第２分岐通路６５の両方を介して、パージガスが吸気通路１０に供給され得る。
【００４１】
過給時、非過給時及び過渡時の何れの場合であっても、パージ通路６２を流通するパージガスの流量であるパージ流量は、パージバルブ６６によって調整される。
【００４２】
また、図１に示すエンジン１００には、各種のセンサが設けられている。具体的には、吸気通路１０のうちエアクリーナ１１とコンプレッサ４１との間の部分には、吸入空気流量を検出するエアフロセンサ８１と吸気温度を検出する温度センサ８５とが設けられている。吸気通路１０におけるコンプレッサ４１とスロットルバルブ１３との間の部分に、過給圧を検出する第１圧力センサ８２が設けられている。また、吸気通路１０におけるスロットルバルブ１３の下流側の部分（詳しくはサージタンク１４ａ内）に、インマニ圧を検出する第２圧力センサ８３が設けられている。エンジン本体２０においては、クランクシャフト２８のクランク角を検出するクランク角センサ８６が設けられている。排気通路３０においては、ＷＧバルブ３３の開度であるＷＧ開度を検出するＷＧ開度センサ８７が設けられ、タービン４２と排気浄化触媒３１との間の部分に、排気中の酸素濃度を検出するＯ２センサ８４が設けられている。
【００４３】
エアフロセンサ８１は、検出した吸入空気流量をＥＣＵ７０に出力する。温度センサ８５は、検出した吸気温度をＥＣＵ７０に出力する。第１圧力センサ８２は、検出した過給圧に対応する検出信号をＥＣＵ７０に出力する。第２圧力センサ８３は、検出したインマニ圧に対応する検出信号をＥＣＵ７０に出力する。クランク角センサ８６は、検出したクランク角に対応する検出信号をＥＣＵ７０に出力する。ＷＧ開度センサ８７は、検出したＷＧ開度に対応する検出信号をＥＣＵ７０に供給し、Ｏ２センサ８４は、検出した酸素濃度に対応する検出信号をＥＣＵ７０に出力する。また、このエンジン１００には、大気圧を検出する大気圧センサ８０が設けられており、この大気圧センサ８０は、検出した大気圧に対応する検出信号をＥＣＵ７０に出力する。
【００４４】
ＥＣＵ７０は、ＣＰＵと、ＣＰＵ上で実行される各種のプログラム（ＯＳなどの基本制御プログラムや、ＯＳ上で起動され特定機能を実現するアプリケーションプログラムを含む）や各種のデータを格納するためのＲＯＭやＲＡＭの如き内部メモリとを備えるコンピュータにより構成される。ＥＣＵ７０は、上述した各種センサから供給された検出信号に基づいて、種々の制御や処理を行う。なお、ＥＣＵ７０は、「エンジンの制御装置」の一例である。
【００４５】
図２は、ＥＣＵ７０の機能構成図を示す。
【００４６】
ＥＣＵ７０は、ターボ過給機４０の過給圧を上昇させることによってパージ通路６２を通過するパージ流量を増加させるパージ増量制御を実行すると共に、このパージ増量制御において、過給圧の上昇に伴う出力トルクの上昇を抑制する出力調整制御を実行する。
【００４７】
詳しくは、ＥＣＵ７０は、エンジン１００の出力トルクを制御するべく、種々のアクチュエータの基本となる制御値（以下、「基本値」と称する）を設定するベース設定部７１と、エンジン１００の運転条件を取得する運転条件取得部７２と、ベース設定部７１により設定された基本値、及び、運転条件取得部７２により取得された運転条件に基づいて、前記パージ増量制御及び前記出力調整制御を実行するパージ制御部７３とを備える。
【００４８】
〈ベース設定部〉
ベース設定部７１は、エンジン１００の運転状態に基づいて取得されたエンジン１００の出力トルクの目標値（以下、「目標トルク」と称する）を基準として、スロットルバルブ１３及びＷＧバルブ３３の開度や点火プラグ２４による点火時期、吸気バルブ２２の開閉時期、並びに、燃料噴射弁２３からの燃料噴射量などを制御する、いわゆるトルクベース制御を実行する。トルクベース制御では、エンジン１００の運転状態に基づいて目標トルク（目標出力トルク）を取得して、各アクチュエータの制御値を、この目標トルクが得られるような基本値に設定する。ベース設定部７１は、「目標過給圧設定部」の一例であり、「ウェイストゲートバルブ制御部」の一例でもある。この例に代えて、ベース設定部７１を複数のブロックで構成してもよい。
【００４９】
ベース設定部７１によるトルクベース制御において、主に、スロットルバルブ１３及びＷＧバルブ３３の制御について図３を参照しながら説明する。図３は、トルクベース制御に係る処理のフローチャートである。
【００５０】
トルクベース制御では、まず、ステップＳ１において、ベース設定部７１がエンジン１００の運転状態を検知する。具体的には、クランク角センサ８６に基づいて算出されたエンジン本体２０の回転速度（以下、「エンジン回転数」と称する）、車速、アクセル開度、及び、変速比等をエンジン１００の運転状態として読み込む。
【００５１】
ステップＳ２においては、ベース設定部７１は、検知された運転状態に応じた目標加速度を取得する。
【００５２】
ステップＳ３において、ベース設定部７１は、取得された目標加速度を実現するために必要な目標トルクを取得する。
【００５３】
ステップＳ４において、ベース設定部７１は、取得された目標トルクを実現するために必要な充填効率の目標値（以下、「目標充填効率」と称する）を設定する。詳しくは、目標充填効率は、目標トルク、エンジン回転数、及び、図示平均有効圧力の目標値（以下、「目標図示平均有効圧力」と称する）に基づいて求められる。目標図示平均有効圧力は、目標トルク、並びに、トルク損失となる機械抵抗及びポンプ損失（ポンピングロス）に基づいて求められる。
【００５４】
ステップＳ５においては、設定された目標充填効率を実現するために必要な吸気マニホールド１４内の吸気の量の目標値（以下、「目標インマニ空気量」と称する）を取得する。目標インマニ空気量は、第２圧力センサ８３により検出されたインマニ温度と、インマニ圧力の目標値（以下、「目標インマニ圧」と称する）と、吸気バルブ２２の開閉時期とに基づいて求められる。目標インマニ圧は、ＥＣＵ７０の内部メモリに予め記憶された、目標インマニ空気量及びインマニ温度とそれらに応じた目標インマニ圧とが関連付けて規定された吸気特性マップに基づいて求められる。
【００５５】
このステップＳ５の後には、ステップＳ６〜Ｓ８とステップＳ９〜Ｓ１１とが並行して行われる。
【００５６】
ステップＳ６において、ベース設定部７１は、目標インマニ空気量を実現するために必要となる、スロットルバルブ１３を通過する吸気の流量の目標値（以下、「目標スロットル通過流量」と称する）を取得する。この目標スロットル通過流量は、ステップＳ４で取得された目標充填効率と、ステップＳ５で取得された目標インマニ空気量と、現在のインマニ空気量の推定値（以下、「実インマニ空気量」と称する）とに基づいて求められる。実インマニ空気量は、第２圧力センサ８３により検出されたインマニ圧力及びインマニ温度に基づいて推定される。なお、この実インマニ空気量は、吸気マニホールド１４に流入する空気量と吸気マニホールド１４から気筒２１内へ流出する空気量との間の収支を計算することにより推定してもよい。
【００５７】
ステップＳ７において、ベース設定部７１は、取得された目標スロットル通過流量を実現するために必要となる、スロットルバルブ１３のバルブ開度の目標値（以下、「目標スロットル開度」と称する）を設定する。この目標スロットル開度は、目標スロットル通過流量と、第１圧力センサ８２により検出された、スロットルバルブ１３上流側の吸気圧力（過給圧）と、第２圧力センサ８３により検出された、スロットルバルブ１３下流側の吸気圧力とに基づいて設定される。
【００５８】
そして、ステップＳ８において、ベース設定部７１は、スロットルバルブ１３のバルブ開度が目標スロットル開度となるようにスロットルバルブ１３を駆動するための制御信号を出力すると共に、目標トルクを実現するように、点火プラグ２４、吸気バルブ２２及び燃料噴射弁２３に対して各々の制御値（基本値）に対応する制御信号を出力する。
【００５９】
一方で、ステップＳ９において、ベース設定部７１は、目標インマニ空気量を実現するために必要となる、過給圧の目標値である目標過給圧を設定する。目標過給圧は、ＥＣＵ７０の内部メモリに予め記憶された、エンジン回転数及び目標充填効率とそれらに応じた吸気バルブ２２の開閉時期とが関連付けて規定された過給圧マップに基づいて求められる。
【００６０】
ステップＳ１０において、ベース設定部７１は、設定された目標過給圧に基づいて、タービン４ｂを通過する流量の目標値である目標タービン流量を取得する。詳しくは、目標タービン流量は、圧縮機駆動力の目標値である目標圧縮機駆動力、及び、エンジン回転数等に基づいて求められる。目標圧縮機駆動力は、目標過給圧に基づいて求められる。
【００６１】
ステップＳ１１において、ベース設定部７１は、算出された目標タービン流量を実現するために必要な、ＷＧバルブ３３のバルブ開度の目標値（以下、「目標ＷＧ開度」と称する）を設定する。目標ＷＧ開度（目標ウェイストゲートバルブ開度）は、目標タービン流量と排気の総流量とに基づいて求められる。
【００６２】
そして、ステップＳ１２において、ベース設定部５１は、目標ＷＧ開度を実現するようにＷＧバルブ３３のバルブ開度を調整するための制御信号を出力する。
【００６３】
なお、これらのステップの順番は一例であり、ステップの順番を可能な範囲で適宜入れ替えたり、複数のステップを並行して処理したりしてもよい。例えば、ステップＳ６からステップＳ８まで続くステップと、ステップＳ９からステップＳ１２まで続くステップとを並行に処理せずに、一つずつ順番に処理してもよい。
【００６４】
〈運転条件取得部〉
運転条件取得部７２は、エンジン１００の運転条件を取得する。ここで、「運転条件」とは、例えば、大気圧や燃料タンク５０内の温度といった、燃料タンク５０内の燃料の蒸発に影響を与え得る条件である。詳しくは、運転条件取得部７２は、エンジン１００の運転条件として、大気圧センサ８０により検出された現在の大気圧と、温度センサ８５により検出された現在の吸気温度とを取得して、その取得結果に対応する信号をパージ制御部７３に出力する。現在の吸気温度は、「燃料タンク内の温度に関連する温度」の一例である。
【００６５】
〈パージ制御部〉
パージ制御部７３は、エンジン１００が過給域にあるか否かを判定する過給域判定部７７と、過給時（エンジン１００が過給域にあるとき）において、パージ流量の増加が必要か否かをエンジン１００の運転条件に基づいて判定する増量要求部７４と、増量要求部７４によりパージ流量の増加が必要と判定されたときに、パージ増量制御を実行する増量実行部７５と、エンジン１００の出力トルクを調整する出力調整部７６とを有する。増量実行部７５は、パージ増量制御において、ターボ過給機４０の過給圧をパージ増量制御が実行される前よりも上昇させることによって、パージ流量を増加させる。ここで、過給圧の上昇は、ＷＧバルブ３３の制御を通じて実行される。出力調整部７６は、パージ増量制御において、増量実行部７５による過給圧の上昇に伴うエンジン１００の出力トルクを抑制する出力調整制御を実行する。ここで、出力調整制御は、スロットルバルブ１３の制御を通じて実行される。
【００６６】
−過給域判定部−
まず、過給域判定部７７は、ベース設定部７１により設定された目標過給圧に基づいて、エンジン１００が過給域にあるか否かを判定する。
【００６７】
詳しくは、過給域判定部７７は、目標過給圧が大気圧よりも大きいときには、エンジン１００が過給域にあることを示す過給信号を増量要求部７４に出力する。一方で、目標過給圧が大気圧よりも小さいときには、エンジン１００が過給域にないものとして、そうした制御信号は出力しない。このような非過給時（エンジン１００が過給域にないとき）においては、前述の如く、パージガスは、第２分岐通路６５を介して吸気通路１０へ導入される。
【００６８】
−増量要求部−
増量要求部７４は、過給域判定部７７からの過給信号を受けると、運転条件取得部７２により取得された運転条件に基づいてパージ流量の増加が必要か否かを判定する。
【００６９】
詳しくは、増量要求部７４は、例えば、車両が高地を走行しているときや、燃料タンク５０内が高温のときのように、エンジン１００が、燃料が揮発しやすい状況下にあるか否かを判定し、揮発しやすい状況下にあると判定した場合には、パージガスの増量を要求する。具体的には、増量要求部７４は、大気圧センサ８０により検出された現在の大気圧が所定の基準圧力よりも低いか、又は、温度センサ８５により検出された現在の吸気温度が所定の基準温度よりも高いときに、燃料が揮発しやすい状況下にあると判定してパージ流量の増加が必要であると判定する。そして、増量要求部７４は、パージ流量を増加させるべく、増量実行部７５及び出力調整部７６に増量信号を出力する。ここで、現在の大気圧が前記基準圧力よりも大きくて且つ、現在の吸気温度が前記基準温度よりも小さいときには、パージ流量の増加は不要であると判定される。この場合、ベース設定部７１により設定された目標過給圧を実現するような過給が行われ、パージ流量は、増加されることなく、第１分岐通路６４を介して吸気通路１０へ導入される。
【００７０】
−増量実行部−
増量実行部７５は、増量要求部７４からの増量信号を受けると、パージ流量を増加させるパージ増量制御を実行する。
【００７１】
詳しくは、パージ増量制御において、増量実行部７５は、ベース設定部７１により設定された基本値以上の過給圧を目標過給圧として設定することによって、目標過給圧を変更する（増加させる）。
【００７２】
増量実行部７５は、変更された目標過給圧に基づいて、目標タービン流量、ひいては目標ＷＧ開度を変更する。この場合、目標タービン流量は、目標過給圧の増加分に応じて基本値に対応する流量から増加する。一方、目標ＷＧ開度は、目標タービン流量の増加分に応じて基本値から減少する。増量実行部７５は、変更された目標ＷＧ開度に対応する制御信号をＷＧバルブ３３に出力する。これにより、ＷＧバルブ３３のバルブ開度が閉弁側に変更されることになって、ターボ過給機４０の過給圧は、パージ増量制御が実行される前よりも上昇することになる。
【００７３】
過給圧が上昇すると、吸気通路１０におけるコンプレッサ４１の下流側と上流側との間の差圧が増大することになって、エジェクタ６７を介した吸気の還流が促進される。吸気の還流が促進されると、それに応じて、第１分岐通路６４を介したパージガスの導入が促進されて、パージ増量制御が実行される前よりも、パージ流量が増加することになる。続いて、増量実行部７５は、前記出力調整制御を実行させるべく、出力調整部７６に制御信号を出力する。
【００７４】
−出力調整部−
前記パージ増量制御においては、出力調整部７６は、増量要求部７４からの増量信号を受けると、出力トルクの上昇を抑制する前記出力調整制御を実行する。
【００７５】
出力調整制御においては、出力調整部７６は、ベース設定部７１により基本値に設定された目標充填効率と、増量実行部７５により変更された目標ＷＧ開度とに基づいて、目標スロットル開度を変更する。詳しくは、出力調整部７６は、過給圧の上昇に伴う充填量、ひいては出力トルクの上昇を抑制するべく、目標過給圧の増加分に応じて、目標スロットル開度を減少させる。出力調整部７６は、変更された目標スロットル開度に対応する制御信号をスロットルバルブ１３に出力する。これにより、スロットルバルブ１３のバルブ開度が閉弁側に変更されて、スロットルバルブ１３を通過する吸気の流量が減少する。吸気の流量が減少することによって、過給圧の上昇に伴う出力トルクの上昇が抑制される。
【００７６】
以上、説明してきたパージ増量制御に係る処理をフローチャートに表すと図４のようになる。この処理は、ＥＣＵ７０によって所定の周期で繰り返し実行される。
【００７７】
まず、ステップＳ２１において、ベース設定部７１がエンジン１００の運転状態を読み込む。このステップは、図３のステップＳ１に相当する。
【００７８】
ステップＳ２２において、ベース設定部７１は、トルクベース制御を実行することによって、各アクチュエータの制御値を基本値に設定する。具体的に、ベース設定部７１は、検知された運転状態に応じた目標トルクを取得して、スロットルバルブ１３の目標充填効率、目標過給圧、目標スロットル開度及び目標ＷＧ開度を基本値に設定する。このステップは、図３のステップＳ２からステップＳ１２に相当する。
【００７９】
ステップＳ２３において、エンジン１００が過給域にあるか否かを過給域判定部７７が判定する。エンジン１００が過給域にあるものと判定された場合にはステップＳ２４に進む一方、過給域にないものと判定された場合にはステップＳ２８に進む。ステップＳ２８においては、前述の如く、パージガスは、第２分岐通路６５を介して吸気通路１０へ導入される。
【００８０】
ステップＳ２４において、パージ流量の増加が必要か否かを増量要求部７４が判定する。具体的には、パージ流量を増加させる必要があると判定された場合には、ステップＳ２５に進んでパージ増量制御を実行する。一方、パージ流量を増加させる必要があると判定されなかった場合には、パージ増量制御を実行せずにステップＳ２７に進む。パージ増量制御を実行せずにステップＳ２７に進んだ場合、パージ流量は、増加されることなく、第１分岐通路６４を介して吸気通路１０へ導入される。
【００８１】
ステップＳ５において、増量実行部７５は、ターボ過給機４０の過給圧が上昇するようにＷＧバルブ３３のバルブ開度を閉弁側に変更する。具体的には、増量実行部７５は、目標過給圧をベース設定部７１により設定された基本値から増加させて、その増加分に応じて目標ＷＧ開度を減少させる。
【００８２】
ステップＳ２６において、出力調整部７６は、スロットルバルブ１３を通過する吸気の流量が減少するようにスロットルバルブ１３のバルブ開度を閉弁側に変更する。具体的には、出力調整部７６は、ベース設定部７１により基本値に設定された目標充填効率と、増量実行部７５により変更された目標過給圧とに基づいて、目標スロットル開度を減少させる。
【００８３】
ステップＳ２７において、第１分岐通路６４を介したパージガスの導入が行われる。パージ増量制御が実行されている場合、ＷＧバルブ３３を介して過給圧を上昇させることによって、エジェクタ６７を介した吸気の還流が促進されて、第１分岐通路６４を介したパージ流量が増加する。その一方で、スロットルバルブ１３を通過する吸気の流量を減少させることによって、過給圧の上昇に伴う出力トルクの増加が抑制される。
【００８４】
なお、これらのステップの順番は一例であり、ステップの順番を可能な範囲で適宜入れ替えたり、複数のステップを並行して処理したりしてもよい。例えば、ステップＳ２３とステップＳ２４の順番を入れ替えたり、ステップＳ２３とステップＳ２４とを並行に処理したりしてもよい。
【００８５】
以上説明したように、パージ制御部７３は、パージ増量制御において、ＷＧバルブ３３を介して過給圧を上昇させることによってパージ流量を増加させると共に、過給圧の上昇に伴う出力トルクの上昇を抑制するべく、スロットルバルブ１３を介して出力調整制御を実行する。このように構成することによって、ＥＣＵ７０は、エンジン１００の運転状態に与える影響を低減しつつ、パージ流量を増加させることができる。
【００８６】
詳しくは、例えば、車両が高地を走行しているときや、燃料タンク５０内が高温のときには、燃料が揮発しやすくなるため、パージ流量を増加させることが求められる。しかしながら、過給時には、エジェクタ効果によりパージガスを供給することになるため、パージ流量は過給圧に依存する。そのため、パージ流量を調整しようとして過給圧を変化させると、エンジン１００の運転状態に影響を与え得る。
【００８７】
前述の構成によると、ＥＣＵ７０は、出力トルクの過度の上昇を抑制しつつ、過給圧の上昇によりパージ流量を増加させることができる。したがって、出力トルクの上昇を抑制した分だけ、過給圧の上昇がエンジン１００の運転状態に与える影響を低減することができる。そのことで、ＥＣＵ７０は、エンジン１００の運転状態に与える影響を低減しつつ、パージ流量を増加させることができる。
【００８８】
また、パージ制御部７３は、出力調整制御においては、スロットルバルブ１３のバルブ開度を絞ることによって、スロットルバルブ１３を通過する吸気の流量、ひいては充填量を減少させることができる。そのことで、パージ増量制御において、過給圧を上昇させつつ充填量を減少させることができるようになる。つまり、過給圧の上昇に伴う出力トルクの上昇を充填量の調整により抑制することができる。
【００８９】
また、吸気バルブ２２の開閉時期の調整によって充填量を調整したり、点火リタードによって出力トルクを調整したりするのではなく、スロットルバルブ１３を介して充填量を調整することで、吸気バルブ２２の開閉時期や点火タイミングの制御を、エンジン１００の運転に関する別の制御に使用することができる。そのことで、エンジン１００の制御性を高める上で有利になる。また、スロットルバルブ１３を閉じることにより、吸気バルブ２２の開閉時期の調整により出力トルクの抑制を行う場合と比べて、過給圧が上昇しやすくなるため、パージ流量を速やかに増加させることが可能となる。また、点火リタードによって出力トルクを調整する場合と比べて、燃費が良くなる。
【００９０】
また、パージ制御部７３は、パージ流量の増加の要否を大気圧又は吸気温度に基づいて判定することによって、パージ流量を増加させるべきときを的確に判断することができる。そのことで、パージ増量制御をより適切なタイミングで行うことができるようになって、ひいては、過給圧の上昇に伴って出力トルクが上昇し得る機会を減らす上で有利になる。
【００９１】
〈他の実施形態〉
前記実施形態では、排気によりタービン４２を駆動するターボ過給機４０を備えた構成を例示したが、この構成に代えて、電動式のアシスト機構を有するターボ過給機を備えてもよい。
【００９２】
前記実施形態では、排気通路３０に設けたＷＧバルブ３３の制御を通じて、ターボ過給機４０の過給圧を調整するように構成されていたが、これに代えて、可変ノズル式ターボ過給機として構成されたターボ過給機４０のノズルベーンの制御を通じて過給圧を調整してもよい。
【００９３】
前記実施形態では、出力調整制御においては、パージ制御部７３は、スロットルバルブ１３の制御を通じて充填量を調整することによって、出力トルクの上昇を抑制するように構成されていたが、この構成に代えて、点火リタードにより出力トルクの上昇を抑制してもよい。また、吸気バルブ２２の開閉時期を変更する所謂、吸気ＶＶＴ（Variable Valve Timing）を介して充填量を調整してもよい。
【００９４】
前記実施形態では、パージ制御部７３は、吸気温度と燃料タンク５０内の温度とが関連するものとして、温度センサ８５により検出された吸気温度に基づいてパージ増量制御を実行するように構成されていたが、この構成に代えて、燃料タンク５０内に温度センサを新設し、この温度センサにより検出されたタンク内温度に基づいてパージ増量制御を実行してもよい。また、吸気通路１０以外の箇所に外気温センサを新設し、この外気温センサにより検出された外気温度に基づいてパージ増量制御を実行してもよい。
【００９５】
前記実施形態では、大気圧や、燃料タンク５０内の温度に関する温度に基づいてパージ増量制御を実行するように構成されていたが、この構成に代えて、又は、この構成に加えて、エンジン１００が暖機後、言い換えると温間後の再始動時には、燃料タンク５０内で発生した蒸発燃料が多くなっていると判断して、パージ増量制御を実行してもよい。このようにすればより確実にキャニスタ６１のオーバーフローを抑制できる。
【符号の説明】
【００９６】
１００  エンジン
１０    吸気通路
１３    スロットルバルブ
２０    エンジン本体
２１    気筒
３２    バイパス通路
３３    ウェイストゲートバルブ
４０    ターボ過給機
４１    コンプレッサ
４２    タービン
５０    燃料タンク
６１    キャニスタ
６２    パージ通路
６７    エジェクタ
７０    ＥＣＵ（制御装置）
７１    ベース設定部（目標過給圧設定部、ウェイストゲートバルブ制御部）
７３    パージ制御部
７４    増量要求部
７５    増量実行部
７６    出力調整部
【図１】
0006330751.tif 000002
【図２】
0006330751.tif 000003
【図３】
0006330751.tif 000004
【図４】
0006330751.tif 000005